(57)【要約】【課題】  高い生産性で、ずれ、脱落のないように軟質材を頂壁に固定して、もって操作性、外観性の優れた液体吐出器を提供することを目的とする。【解決手段】  容器の口筒部に嵌着する装着筒体と、この装着筒体により容器内に固定されるシリンダと、このシリンダに上下方向への摺動可能に挿嵌されるピストンと、ピストンの上端部に組み付く有頂筒状の押下げヘッドと、ピストンと押下げヘッドを上方付勢するスプリングと、を有する液体吐出器において、押下げヘッドの頂壁の上面に、軟質材料から成る軟質板片がインサート成形により固定されていること、にある。【選択図】  図１
2005066578.tif 000002
【特許請求の範囲】
【請求項１】
容器(11)の口筒部(11a)に嵌着する装着筒体(12)と、該装着筒体(12)により容器(11)内に固定されるシリンダ(21)と、該シリンダ(21)に上下方向への摺動可能に挿嵌されるピストン(23)と、該ピストン(23)の上端部に組み付く有頂筒状の押下げヘッド(1)と、前記ピストン(23)と押下げヘッド(1)を上方付勢するスプリング(26)と、を有する液体吐出器において、前記押下げヘッド(1)の頂壁(4)の上面に、軟質材料から成る軟質板片(6)がインサート成形により固定されていることを特徴とする液体吐出器。
【請求項２】
軟質板片(6)がインサート成形によりアンダーカット状に固定されていることを特徴とする請求項１記載の液体吐出器。
【請求項３】
押下げヘッド(1)の頂壁(4)の外周縁に短筒片（4a）を起立設し、該短筒片(4a)の筒壁で軟質板片(6)の側周を覆う構成とした請求項１または２記載の液体吐出器。
【請求項４】
押下げヘッド(1)の頂壁(4)の中央部を開口したことを特徴とする請求項１、２または３記載の液体吐出器。
【発明の詳細な説明】
【技術分野】
【０００１】
本発明は容器の口筒部に固定して使用する、手動ポンプ式の液体吐出器に関する。
【背景技術】
【０００２】
たとえば特許文献１には、手動ポンプ式の液体吐出器の例が示されている。液体吐出器は、ノズル等の構造を変えることで噴霧器、泡噴出器、或いは液体をそのまま噴出する液体噴出器として用いられているが、これ等の基本構造は、容器の口筒部に嵌着させた有頂筒状の装着筒体の頂壁により、容器内に垂下するシリンダ上端の外向きフランジを容器の口筒部の上端面との間で挟持させ、又シリンダ内から起立するピストンの上端にノズル付き押下げヘッドを固定して、このピストンと押下げヘッドをスプリングにより上方付勢とした状態で、ピストンをシリンダに対し上下動させることでシリンダ内（容器内）の液体をノズルから吐出するようにしたものである。
【０００３】
従ってピストンの押下げ操作において、シリンダ内にあってピストンを上方へ付勢しているスプリングの圧縮と、シリンダ室内の容積の圧縮によるシリンダ内の液体の吐出とを同時に行うこととなり、そのため押下げヘッドの押下げ操作では指先に力が掛かり指が痛くなることがあった。
【０００４】
上記欠点を除去するための手段として、特許文献２では押下げヘッド頂面へ弾性圧縮可能な厚み巾を有するゴム板を固着する方法についての記載がある。
【特許文献１】特開昭５５−１２４５６４号公報
【特許文献２】実用新案登録２５２１１３９号公報
【発明の開示】
【発明が解決しようとする課題】
【０００５】
しかしながら、特許文献２には頂面にゴム板を固定する方法として、頂面に短筒を設けてゴム板を嵌合したり、ゴム板を頂面に接着する等の手段が記載されているが、使用中にゴム板がずれる、あるいは脱落する等の恐れがあり、またゴム板が押下げヘッドの頂壁全体を覆うような構成となるので外観を損ねる場合もあり、またゴム板を頂面に取り付けるあるいは接着する等の工程を要して生産コストが高くなるという問題もある。
【０００６】
本発明は上述のごとき課題を解決しようとするものであって、高い生産性で、ずれ、脱落のないように軟質材を頂壁に固定して、もって操作性、外観性の優れた液体吐出器を提供することを目的とする。
【課題を解決するための手段】
【０００７】
本発明は前記目的を達成するためになされたものであり、本発明の課題を解決するための手段のうち、請求項１記載の発明の手段は、
容器の口筒部に嵌着する装着筒体と、この装着筒体により容器内に固定されるシリンダと、シリンダに上下方向への摺動可能に挿嵌されるピストンと、ピストンの上端部に組み付く有頂筒状の押下げヘッドと、ピストンと押下げヘッドを上方付勢するスプリングと、を有する液体吐出器において、
押下げヘッドの頂壁の上面に、軟質材料から成る軟質板片がインサート成形により固定されていること、にある。
【０００８】
請求項１記載の上記構成により、頂壁に固定した軟質板片に指を当てて押下げヘッドを押下げると、スプリングの弾性に抗してピストンが下降し、シリンダ内の液体がノズルを介して吐出されるが、軟質材料で形成された軟質板片に指を当てての押下げ操作であるので、ソフトな感触により、押下げる指が痛くなるのを防ぐと共にスムーズな押下げ操作とすることができる。
【０００９】
また、軟質板片が頂壁の上面にインサート成形されたものであるので、押下げヘッドを射出成形する際に、射出された溶融樹脂が軟質板片の周縁すなわち裏面および側周への押圧状態で充填し更に保圧状態で冷却固化するので、軟質板片を
固定のための別工程を要することなく、ずれあるいは脱落のない状態で確実に固定することができる。
【００１０】
請求項２記載の発明の手段は請求項１記載の発明において、軟質板片がインサート成形によりアンダーカット状に固定されていること、にある。
【００１１】
請求項２記載の上記構成により、インサート成形により軟質板片を押下げヘッドの頂壁の上面に容易にアンダーカット状に固定することができ、軟質板片の固定をより強固なものとすることができる。
【００１２】
請求項３記載の発明の手段は請求項１または２記載の発明において、押下げヘッドの頂壁の外周縁に短筒片を起立設し、この短筒片の筒壁で軟質板片の側周を覆う構成とすること、にある。
【００１３】
請求項３記載の上記構成により、短筒片の筒壁で軟質板片の側周を覆うように構成することにより、軟質板片を完全に頂壁に嵌め込んだような状態とすることができ、押下げヘッドを一体感のある外観とすることができ、外観のより優れた液体吐出器を提供することができる。
【００１４】
請求項４記載の発明の手段は、請求項１、２または３記載の発明において、押下げヘッドの頂壁の中央部を開口したこと、にある。
【００１５】
請求項４記載の上記構成により、頂壁の中央部を開口させた構成とすることにより、開口部では頂壁による下方からの支えがないので押圧時に軟質板片がより変形しやすく、指で押圧する際におけるソフト感をより強めることができ、今までにない快適な操作感を付与することができる。
【発明の効果】
【００１６】
本発明は上記した方法および構成となっているので、以下に示す効果を奏する。
請求項１記載の発明にあっては、軟質材料で形成された軟質板片に指を当てての押下げ操作であるので、ソフトな感触により、押下げる指が痛くなるのを防ぐと共にスムーズな押下げ操作とすることができ、また軟質板片が頂壁の上面にインサート成形されたものであるので、押下げヘッドを射出成形する際に、射出された溶融樹脂が軟質板片の周縁すなわち裏面および側周への押圧状態で充填し更に保圧状態で冷却固化するので、軟質板片を固定のための別工程を要することなく、ずれあるいは脱落のない状態で確実に固定することができる。
【００１７】
請求項２記載の発明にあっては、インサート成形により軟質板片を押下げヘッドの頂壁の上面に容易にアンダーカット状に固定することができ、軟質板片の固定をより強固なものとすることができる。
【００１８】
請求項３記載の発明にあっては、頂壁の外周縁に立設した短筒片の筒壁で軟質板片の側周を覆うように構成することにより、軟質板片を頂壁に嵌め込んだような状態とすることができ、押下げヘッドを一体感のある外観とすることができ、外観のより優れた液体吐出器を提供することができる。
【００１９】
請求項４記載の発明にあっては、押圧時に軟質板片がより変形しやすく、指で押圧する際におけるソフト感をより強めることができ、今までにない快適な操作感を付与することができる。
【発明を実施するための最良の形態】
【００２０】
以下、本発明の実施の形態を図面を参照しながら説明する。
図１および図２は本発明の液体吐出器の一実施例を示すものであり、図１は半縦断面図、図２は容器に嵌着した状態での斜視図である。
【００２１】
本実施例の液体吐出器の主な構成部材は、嵌着筒１２ａで容器１１の口筒部１１ａに螺合組付きする嵌着筒体１２、シリンダ２１、第２シリンダ２２、ステム２８、押下げヘッド１である。
【００２２】
嵌着筒体１２は中央部が開口した頂壁を有する有頂円筒状の嵌着筒１２ａと、頂壁から同軸心状に起立設された外筒片１２ｂと内筒片１２ｃを有し、シリンダ２１は、容器１１の口筒部１１ａの上端面と嵌着筒体１２の頂壁の間にパッキン１３を介して上端部のフランジ２１ａを挟持された状態で固定されて容器１１内に姿勢保持されている。またこのシリンダ２１内には同軸心状に円柱状のステム２８が設置されている。
【００２３】
本実施例はピストン２３の上端部に第２のシリンダである第２シリンダ２２を配置した構成であり、この第２シリンダ２２は、有頂円筒状で嵌着筒体１２の内筒片１２ｃに上下方向への摺動可能に挿嵌しており、頂壁には後述する押下げヘッド１と嵌合組付き固定するための嵌入筒２２ａを有する。
【００２４】
また本実施例では、ピストン２３は内側部材２３ａと外側部材２３ｂから構成され、上端部を第２シリンダ２２に、下部をシリンダ２１に、上下方向への摺動可能に挿嵌している。また、このピストン２３は下端面に当接するコイル状のスプリング２６により上方付勢の状態にある。なおこのスプリング２６はステム２８によりその起立姿勢が保持されている。
【００２５】
押下げヘッド１は、有頂円筒状の筒体２からなり、上部側壁にノズル５を有し、頂壁４の下面から垂下筒片３が垂下設され、上記した第２シリンダ２２が組付き固定される。また頂壁４の上面は、人差し指を当て易いように緩やかな凹状の形状であり、その外周縁には短筒片４ａが形成され、軟質板片６が頂壁４にちょうど嵌め込んだような状態で固定されており外観上も優れたものとしている。
【００２６】
本発明の軟質板片６を形成する材料としては、天然ゴム、軟質性の合成樹脂等が用いられるが、射出成形においてインサート成形される際にその形状がほじされるものである必要がある。すなわち、押下げヘッド１は通常ポリプロピレン等の汎用樹脂を射出成形することにより製造されるので、これら樹脂の射出成形の樹脂温度（２００〜２８０℃程度の温度）で形状が保持されている必要があり、３次元的に架橋された状態で形状が形成されている必要がある。また、本質的には硬質の合成樹脂であっても発泡等させて多孔質な状態とすることにより使用することもできる。
【００２７】
上記したシリンダ２１、第２シリンダ２２、ピストン２３、スプリング２６等の部材および図１中に示した弁栓２４、玉弁２５、透孔２９等の作用により手動ポンプとしての機能が発揮され、頂壁４に固定した軟質板片６に指を当てて、押下げヘッド１を押下げると、スプリング２６の弾性に抗して、第２シリンダ２２を介してピストン２３が下降し、シリンダ２１および第２シリンダ２２内の中空部（加圧空間）２７が圧縮され、シリンダ２１および第２シリンダ２２内の液体がノズル５を介して吐出されるが、軟質材料で形成された軟質板片６に指を当てての押下げ操作であるので、ソフトな感触により、押下げる指が痛くなるのを防ぐと共にスムーズな押下げ操作とすることができる。
【００２８】
また、軟質板片６は頂壁の上面にインサート成形されたものであり、押下げヘッド１を射出成形する際に、射出された溶融樹脂が軟質板片６の裏面、および短筒片４ａにより側周の全面に押圧状態で充填し、更に保圧状態で冷却固化するので、使用中におけるずれ、あるいは脱落を無くすことができる。
【００２９】
図３は押下げヘッド１の他の例を示した縦断面図であり、軟質板片６の下部に拡径部８を形成した形状として、軟質板片６をインサート成形によりアンダーカット状に頂壁４に固定した例であり、軟質板片６のずれ、あるいは脱落をより確実に防止することができる。
【００３０】
図４は押下げヘッド１のさらに他の例を示した縦断面図であり、頂壁４の中央部に開口部を有し、この開口部では軟質板片６が頂壁４により下方から支持されていない構成としているのが特徴である。また、軟質板片６には、インサート成形時における金型表面への取り付け工程で使用する摘み片７を付設した構成としている。
【００３１】
このような構成とすることにより、押圧時に軟質板片６がより変形しやすく、指で押圧する際におけるソフト感をより強めることができ、今までにない快適な操作感を付与することができる。
【００３２】
なお、本実施例で説明したシリンダ、ピストン等の手動ポンプの部分に係る構成は内容液を特にはスプレー状に噴出させるためのものであるが、これは指で押下げヘッドを押下げるタイプの手動ポンプの単なる一例として示したものであり、本発明の軟質板片に係る作用効果は指で押下げヘッドを押下げるタイプの手動ポンプを有する液体吐出器に一般的に発揮されるものであり、これら手動ポンプの部分に係る構成は本実施例に限定されるものではない。
【産業上の利用可能性】
【００３３】
低コストで、ずれ、あるいは脱落のない状態で押下げヘッド部の項壁に軟質材を確実に固定することができ、押下げヘッドを有する手動ポンプ付き化粧料等の容器として幅広い用途に展開できる。
【図面の簡単な説明】
【００３４】
【図１】本発明の液体吐出器の一実施例を示す、半縦断側面図である。
【図２】図１に示す液体吐出器の押下げヘッドの部分を示す、斜視図である。
【図３】図１中の押下げヘッドの他の例を示す、縦断側面面図である。
【図４】図１中の押下げヘッドのさらに他の例を示す、縦断側面面図である。
【符号の説明】
【００３５】
１  ；押下げヘッド
２  ；筒体
３  ；垂下筒片
４  ；頂壁
４ａ；短筒片
５  ；ノズル
６  ；軟質板片
７  ；摘み片
８  ；拡径部
１１；容器
１１ａ；口筒部
１２；装着筒体
１２ａ；装着筒
１２ｂ；外筒片
１２ｃ；内筒片
１３；パッキン
２１；シリンダ
２１ａ；フランジ
２２；第２シリンダ
２２ａ；嵌入筒片
２３；ピストン
２３ａ；内側部材
２３ｂ；外側部材
２４；弁栓
２５；玉弁
２６；スプリング
２７；中空部（加圧空間）
２８；ステム
２９；透孔
【図１】
2005066578.tif 000003
【図２】
2005066578.tif 000004
【図３】
2005066578.tif 000005
【図４】
2005066578.tif 000006